(57)【要約】【課題】電源を並列接続して昇圧回路に電源を供給でき、かつ、計帯電器側のグランド端子への接続非接続で昇圧回路の動作・非動作を切り替え可能で、しかも、充電器本体と充電器側コネクタ間のライン延長によるライン部での電圧降下を抑制できる携帯電話機用充電器を提供する。【解決手段】並列の充電用電源１、２からの電圧を昇圧させて携帯電話機の充電に供する携帯電話機用の充電器において、各充電用電源の出力を逆流防止機能を有するスイッチ素子３０、３１を介して昇圧回路５の入力に接続するとともに、各スイッチのオンオフ切り替えを携帯電話側のグランド端子ＰＩＮ１への接続非接続で行う。【選択図】図２
2007174728.tif 000002
【特許請求の範囲】
【請求項１】
並列の充電用電源からの電圧を昇圧させて携帯電話機の充電に供する携帯電話機用の充電器において、
各充電用電源の出力を逆流防止機能を有するスイッチ素子を介して昇圧回路の入力に接続するとともに、各スイッチのオンオフ切り替えを携帯電話側のグランド端子への接続非接続で行うことを特徴とする携帯電話機用充電器。
【請求項２】
請求項１の携帯電話機用充電器において、
上記スイッチ素子としてトランジスタを用い、トランジスタベースの上記グランド端子への接続非接続でオンオフを切り替えを行うようにしたことを特徴とする携帯電話機用充電器。
【請求項３】
請求項１又は２の携帯電話機用充電器において、
上記充電用電源が一次電池であることを特徴とする携帯電話機用充電器。
【発明の詳細な説明】
【技術分野】
【０００１】
本発明は、携帯電話機用充電器に関する。
【背景技術】
【０００２】
特許文献１には、充電用電池と、携帯電話機に接続される複数の端子を有するコネクタと、前記充電用電池から供給される電圧を、前記携帯電話機の充電電圧に適合する電圧に昇圧し、前記コネクタ中の第１の端子に供給する昇圧回路とを有する携帯電話機用充電器が記載されている。更に、前記コネクタ中の第２の端子を介して前記携帯電話機から供給される電圧に基づいて、前記携帯電話機に接続されているか否かを検出する接続検出回路を有し、前記接続検出回路にて接続状態が検出されたときに前記昇圧回路は通常動作モードに設定され、前記携帯電話機が非接続状態のときに前記昇圧回路は昇圧動作を実施しないパワーセーブモードに設定されるものも記載されている。
図３は、上記特許文献１に記載の携帯電話機用充電器と同様に、携帯電話機が非接続状態のときに昇圧回路は昇圧動作を実施しない状態に切り替える公知の携帯電話機用充電器の回路ブロック図である。この充電器は、たとえば１．５ボルトの乾電池（一次電池）二本の直列接続からなる二つの電源１、２を有する。各電源１、２のプラス側はダイオード３、４を介して昇圧回路５の入力部に接続されている。すなわち、各電源１、２は昇圧回路５に並列に接続されている。各電源のマイナス側は携帯電話機のコネクタ６（図示の例
のピン番号はPDC型携帯電話機のピン番号）と接続される充電器側コネクタ７の第一ピン９に第一グランドライン１０を介して接続されている。この第一ピン８は携帯電話機側コネクタ６の第一グランド端子（ＰＩＮ１）に接続される。昇圧回路５は昇圧によってたとえば５ボルトを出力ライン１１に出力するもので、出力ライン１１で充電器側コネクタ７の第三ピン１２に接続される。この第三ピン１２は電話機側コネクタ６の充電回路端子（ＰＩＮ８）に接続される。昇圧回路５は充電器側コネクタの第二ピン１３に第二のグランドライン１４で接続される。この第三ピン１３は電話機側コネクタの第二グランド端子（ＰＩＮ９）に接続される。上記ダイオード３、４は電源間の消耗の差（電圧差）によって消耗が進んだほう（電圧が低い方）に電流が逆流して液漏れなど不具合を起こすのを防止する。充電器を携帯電話機に接続した状態では第二グランドライン１４が第二ピン１３、第二グランド端子、第一グランド端子、第一ピン８及び第一グランドライン１０を介して各電源のマイナス側に接続される。この状態で昇圧回路が昇圧動作状態になる。充電器を携帯電話機と非接続状態にすると充電器の第一グランドライン１０および第二グランドライン１３がオープンになって昇圧回路５が昇圧動作を行なわない状態になる。この図３の充電器は携帯電話機のグランド端子を介して昇圧回路５のグランドラインを電源のマイナス側に接続するか否かという簡易な回路構成によって、昇圧回路を動作させるか不動作にするかを切り替えことができる。なお、出力ライン１１及び電源の主力側は電圧検出及び表示回路１５に接続されている。この回路には表示素子としてＬＥＤも取り付けられている。
【０００３】
【特許文献１】実用新案登録登録第３０６６９０４号公報
【発明の開示】
【発明が解決しようとする課題】
【０００４】
充電器のコネクタを充電器本体から離して充電器を使用しようできれば、充電器の使い勝手が向上する。ところが図３の回路構成では次のような不具合が生じることがわかった。すなわち、コネクタを充電器本から十分離して使用できるように充電器と充電器側コネクタ７との間の各ライン１０、１１、１４をたとえば９０センチメールというように長く設定した。すると、各ラインが細いこともあって第一グランドライン１０と第二グランドライン１４の抵抗が大きくなり、この部分の電圧降下で電源の利用効率が低下してしまった。たとえば、第一グランドライン１０と第二グランドライン１４には１アンペアほどの電流が流れ、往復で０．８ボルト程度の電圧降下が生じた。上述の逆流防止のためのダイオードでも０．８ボルト程度電圧が降下するので、このラインでの電圧降下はできるだけ抑える必要がある。
本発明は、上記問題に鑑みなされたものであり、その目的とするところは、電源を並列接続して昇圧回路に電源を供給でき、かつ、計帯電器側のグランド端子への接続非接続で昇圧回路の動作・非動作を切り替え可能で、しかも、充電器本体と充電器側コネクタ間のライン延長によるライン部での電圧降下を抑制できる携帯電話機用充電器を提供することである。
【課題を解決するための手段】
【０００５】
上記目的を達成するために、請求項１の発明は、並列の充電用電源からの電圧を昇圧させて携帯電話機の充電に供する携帯電話機用の充電器において、各充電用電源の出力を逆流防止機能を有するスイッチ素子を介して昇圧回路の入力に接続するとともに、各スイッチのオンオフ切り替えを携帯電話側のグランド端子への接続非接続で行うことを特徴とする。
また、請求項２の発明は、請求項１の携帯電話機用充電器において、上記スイッチ素子としてトランジスタを用い、トランジスタベースの上記グランド端子への接続非接続でオンオフを切り替えを行うようにしたことを特徴とする。
また、請求項３の発明は、請求項１又は２の携帯電話機用充電器において、上記充電用電源が一次電池であることを特徴とする。
【発明の効果】
【０００６】
請求項１乃至３の発明においては、充電器を携帯電話機に接続した状態で携帯電話のグランド端子に各スイッチ素子接続されてオン状態になり各電源の電圧が昇圧回路に供給されて昇圧回路が動作状態になる。充電器と携帯電話機が非接続の野状態では携帯電話のグランド端子と各スイッチ素子とが非接続でオフ状態になり各電源の電圧が昇圧回路に供給されずに昇圧回路が不動作状態になる。しかも、並列関係にある各電源の出力側と昇圧回路の入力との間に存在する各スイッチ素子が逆流防止機能を備えているので、電流の逆流による不具合も防止できる。
【発明を実施するための最良の形態】
【０００７】
図１（ａ）は実施形態に係る充電器２０のコネクタ７を充電器本体２１から離した状態の斜視図、図１（ｂ）はコネクタを充電器本体に保持させた状態の部分斜視図である。この充電器は、直列の２本の乾電池（一次電池）を二組並列関係で収容できる電池収容部２２を有する。コネクタ７と回路基板とを接続するコード２３を巻きつけるリール部材２４も有する。このリール部材２４は巻き取り方向に回動付勢されており、この付勢力にこうして充電器本体２１からコネクタ７を離すように引っ張ると、リール部材２４を付勢方向とは逆に回転させて図１（ａ）に示すようにコート２３を伸ばすことができる。図１（ｂ）に示すようにリール部材２４にコード２３を巻き取った状態でコネクタ７を保持する保持部２５も形成されている。
【０００８】
図２は充電器の回路ブロック図である。この充電器は、上記電池収容部２２にセットされたたとえば１．５ボルトの乾電池二本の直列接続からなる二つの電源１、２のプラス側（出力側）がスイッチ素子としてのトランジスタ３０、３１を介して昇圧回路３の入力部に接続されている。図示の例では各電源のプラス側がＰＮＰ型トランジスタそれぞれのエミッタに接続されている。各トランジスタのコレクタは昇圧回路５の入力部に接続されている。そして、各トランジスタ３０、３１のベースは、第一グランドライン３２で充電器側コネクタ７の第１ピン８に接続されている。この第１ピン８は携帯電話機側コネクタ（図示の例のピン番号はPDC型携帯電話機のピン番号）の第一グランド端子（ＰＩＮ１）に接続される。各電源のマイナス側は第二グランドライン３３を介して充電器側コネクタ７の第二ピン１３に接続されている。この第二ピン１３は携帯電話機側コネクタ６の第二グランド端子（ＰＩＮ９）と接続される。昇圧回路５は昇圧により出力ライン１１たとえば５ボルトを出力するもので、出力ライン１１で充電器側コネクタ７の第三ピン１２に接続される。この第三ピン１２は電話機側コネクタ６の充電回路端子（ＰＩＮ８）に接続される。昇圧回路５は充電器側コネクタの第二ピン１３に第二のグランドライン３３で接続される。この第二ピン１３は電話機側コネクタの第二グランド端子（ＰＩＮ９）に接続される。
【０００９】
充電器のコネクタ７が携帯電話機のコネクタ６に接続された状態では、各トランジスタ３０、３１のベースが第一グランドライン３２、第一ピン８、電話機側グランド端子を介して接地されて各トランジスタ３０、３１がオンし、各電源１、２から昇圧回路５に電圧が供給される。また、第二グランドライン３３が第二ピン１３、電話機側第二グランド端子を介して接地される。よつて、昇圧回路５が昇圧動作状態にある。この状態では、各トランジスタ３０、３１が逆流を防止する。更に、第一グランドライン３２はトランジスタ３０、３１のベースに接続されており、ベース電流は微小であるので、図３の回路に比してグランドラインによる電圧降下を微小なものに抑制できる。
【００１０】
充電器側コネクタ７と携帯電話機側コネクタ６とが非接続の状態では、充電器の第一グランドライン３２および第二グランドライン３３がオープンになって昇圧回路５が昇圧動作を行なわない状態になる。
【００１１】
以上、実施形態では、逆流防止機能を有するスイッチ素子してトランジスタを用いたがその他の同様の機能を有する電子部品を用いてもよい。
【図面の簡単な説明】
【００１２】
【図１】（ａ）は実施例に係る充電器の斜視図、（ｂ）は同充電器の部分斜視図。
【図２】同充電器のブロック図。
【図３】従来例に係る充電器のブロック図。
【符号の説明】
【００１３】
１    電源
２    電源
５    昇圧回路
６    携帯電話機側コネクタ
７    充電器側コネクタ７
３０  トランジスタ
３１  トランジスタ
３２  第一グランドライン
３３  第二グランドライン
【図１】
2007174728.tif 000003
【図２】
2007174728.tif 000004
【図３】
2007174728.tif 000005